(57)【要約】【課題】各計量メータに表示されている積算計量値と中央監視装置で管理されている積算計量値との読み合わせを行うタイミングを予想し、点検効率を高める。【解決手段】監視装置２で管理されている計量メータ１ごとの過去の積算計量値を表す信号を受信し、当該計量メータ１の識別情報と対応付けて記憶する積算計量値記憶部３２と、計量メータ１ごとに、積算計量値の所定周期ごとの増加量を算出する増加量算出部３３と、計量メータ１ごとに、所定の点検開始時刻および増加量の積算値が所定閾値以上となった時刻を増加量の積算開始点にして、増加量の積算値が所定閾値以上となる複数の時刻を点検見込時刻として算出する点検見込時刻算出部３５と、計量メータ１ごとの各点検見込時刻を表示する点検支援情報表示部３６とを備えた。【選択図】図１
2012215391.tif 000002
【特許請求の範囲】
【請求項１】
建物内に複数設置された計量メータにより積算計量された積算計量値と、前記各計量メータから送信される信号に基づいて監視装置で表示された積算計量値との読み合わせを行う際の点検スケジュールを作成する点検スケジュール作成装置において、
前記監視装置で管理されている前記計量メータごとの過去の積算計量値を示す信号を受信し、当該計量メータの識別情報と対応付けて記憶する積算計量値記憶部と、
前記積算計量値記憶部に記憶されている積算計量値に基づいて、前記計量メータごとに、前記積算計量値の所定周期ごとの増加量を算出する増加量算出部と、
前記増加量算出部により算出された増加量に基づいて、前記計量メータごとに、所定の点検開始時刻および前記増加量の積算値が所定閾値以上となった時刻を前記増加量の積算開始点にして、前記増加量の積算値が前記所定閾値以上となる複数の時刻を点検見込時刻として算出する点検見込時刻算出部と、
前記点検見込時刻算出部により算出された前記計量メータごとの各点検見込時刻を表示する点検支援情報表示部と
を備えたことを特徴とする点検スケジュール作成装置。
【請求項２】
前記計量メータの種別および管理区域を含む計量メータ情報を計量メータの識別情報と対応付けて記憶する計量メータ情報記憶部と、
点検を行う計量メータの種別および管理区域の少なくとも一方の指定を点検条件として受け付ける点検条件入力部とをさらに備え、
前記点検見込時刻算出部は、前記計量メータ情報記憶部に記憶されている計量メータ情報および前記点検条件入力部により受け付けられた点検条件に基づいて、前記点検条件に合致する計量メータを検出し、当該計量メータに対して前記点検見込時刻を算出する
ことを特徴とする請求項１記載の点検スケジュール作成装置。
【請求項３】
前記点検条件入力部は、点検を開始する時刻を点検条件として受け付け、
前記点検見込時刻算出部は、前記点検条件入力部により受け付けられた点検開始時刻を前記積算開始点にして、前記点検見込時刻を算出する
ことを特徴とする請求項１または請求項２記載の点検スケジュール作成装置。
【請求項４】
前記点検支援情報表示部は、前記計量メータ情報記憶部に記憶されている計量メータ情報に基づいて、前記各点検見込時刻に該当する各計量メータのうち、同一管理区域内の計量メータをまとめて表示する
ことを特徴とする請求項２記載の点検スケジュール作成装置。
【請求項５】
前記積算計量値記憶部は、前記計量メータごとの過去の積算計量値を示す信号を複数日分受信して記憶し、
前記増加量算出部は、前記計量メータごとに、各日における積算計量値の所定周期ごとの増加量を平均する
ことを特徴とする請求項１から請求項４のうちのいずれか１項記載の点検スケジュール作成装置。
【発明の詳細な説明】
【技術分野】
【０００１】
この発明は、建物内に複数設置された計量メータにより積算計量された積算計量値と、各計量メータから送信される信号に基づいて中央監視装置で表示された積算計量値との読み合わせを行う際の点検スケジュールを作成する点検スケジュール作成装置に関するものである。
【背景技術】
【０００２】
ビルなどの建物内には、各種ユーティリティ（電力やガス、水道など）の使用量を積算計量する計量メータ（課金メータ）が複数設置されている。これらの計量メータは、コントローラを介して中央監視装置に接続され、積算計量値が所定量増加するごとに、この値を示すパルス信号を送信している。そして、中央監視装置では、受信したパルス信号が示す各計量メータでの積算計量値を表示し、監視ポイントの一つとして管理している。一方、建物内の各テナントに対して、各種ユーティリティの使用料金を請求する請求者は、計量メータに表示されている積算計量値に基づいて使用料金を算出している。すなわち、積算計量値を管理する際に用いる機器と、積算計量値から使用料金を算出する際に用いる機器とが異なる。そのため、両機器が示す積算計量値が一致している必要がある。
しかしながら、建物を建築した際の停電試験や、計量メータと中央監視装置との間の信号線の断線、計量メータの故障等によって、計量メータに表示されている積算計量値と、中央監視装置で管理されている積算計量値とに誤差が生じる場合がある。
【０００３】
そこで、定期的に、計量メータに表示されている積算計量値と中央監視装置で管理されている積算計量値とが一致しているかを確認する点検を行っている。
この点検では、計量メータに表示されている積算計量値を読み取る作業者と、中央監視装置で管理されている積算計量値を読み取る作業者に分かれて、両者が携帯電話等で連絡を取りながら両積算計量値の一致性を確認している。なお１回の点検で、１台の計量メータに対して、読み取り作業を複数回行う必要がある。そして、計量メータに表示されている積算計量値と中央監視装置で管理されている積算計量値とに誤差が生じている場合には、その誤差の修正を行う。すなわち、例えば停電試験による誤差の場合には中央監視装置での積算計量値の修正を行い、信号線の断線や計量メータ等の故障による誤差の場合にはその交換・修理を行ったうえで中央監視装置での積算計量値の修正を行う。
【先行技術文献】
【特許文献】
【０００４】
【特許文献１】特開２０００−３１０６５２号公報
【発明の概要】
【発明が解決しようとする課題】
【０００５】
上述したように、計量メータに表示されている積算計量値と、中央監視装置で管理されている積算計量値とに誤差が生じていないかを点検するため、両積算計量値の読み合わせを複数回行っている。この際、計量メータに表示されている積算計量値の増加量と、中央監視装置で管理されている積算計量値の増加量とに誤差が生じていないことも確認するため、前回の読み合わせから、ある程度、積算計量値が増加した状態で、次の読み合わせを行う必要がある。
しかしながら、計量メータの種別や設置場所、用途などの条件によってメータの進み方が異なるため、どのタイミングで積算計量値を読み取りに行けばよいのかがわからない。そのため、計量メータの設置場所まで行ったが、まだ点検を行うことができず、時間を置いて出直して、改めて点検を行う必要が生じる場合があり、点検効率が悪いという課題があった。
【０００６】
なお特許文献１には、中央監視装置で管理されている値を所定時間ごとに収集する第１のデータ収集装置と、作業員により入力された、計量メータに表示されている値を記録する第２のデータ収集装置とを備え、第１，２のデータ収集装置により収集・記憶されている値を比較する装置が開示されている。この特許文献１に開示された装置によって、計量メータに表示されている値と中央監視装置で管理されている値との読み合わせを作業員一人で行うことが可能となる。しかしながら、どのタイミングでどの計量メータの点検を行えばよいのかを事前に知ることができず、点検効率の改善を図ることはできない。
【０００７】
この発明は、上記のような課題を解決するためになされたもので、各計量メータに表示されている積算計量値と中央監視装置で管理されている積算計量値との読み合わせを行うタイミングを予想することができ、点検効率を高めることができる点検スケジュール作成装置を提供することを目的としている。
【課題を解決するための手段】
【０００８】
この発明に係る点検スケジュール作成装置は、監視装置で管理されている計量メータごとの過去の積算計量値を示す信号を受信し、当該計量メータの識別情報と対応付けて記憶する積算計量値記憶部と、積算計量値記憶部に記憶されている積算計量値に基づいて、計量メータごとに、積算計量値の所定周期ごとの増加量を算出する増加量算出部と、増加量算出部により算出された増加量に基づいて、計量メータごとに、所定の点検開始時刻および増加量の積算値が所定閾値以上となった時刻を増加量の積算開始点にして、増加量の積算値が所定閾値以上となる複数の時刻を点検見込時刻として算出する点検見込時刻算出部と、点検見込時刻算出部により算出された計量メータごとの各点検見込時刻を表示する点検支援情報表示部とを備えたものである。
【発明の効果】
【０００９】
この発明によれば、上記のように構成したので、各計量メータに表示されている積算計量値と中央監視装置で管理されている積算計量値との読み合わせを行うタイミングを予想することができ、点検効率を高めることができる。
【図面の簡単な説明】
【００１０】
【図１】この発明の実施の形態１に係る計量メータ管理システムの構成を示すブロック図である。
【図２】この発明の実施の形態１に係る点検スケジュール作成装置による動作を示すフローチャートである。
【図３】この発明の実施の形態１における過去の積算計量値の一覧表を示す図である。
【図４】この発明の実施の形態１における過去の積算計量値の増加量の一覧表を示す図である。
【図５】この発明の実施の形態１における点検スケジュールを示す図である。
【図６】この発明の実施の形態１における点検スケジュールを示す別の図である。
【発明を実施するための形態】
【００１１】
以下、この発明の実施の形態について図面を参照しながら詳細に説明する。
実施の形態１．
計量メータ管理システムは、図１に示すように、計量メータ１、中央監視装置２および点検スケジュール作成装置３から構成されている。
計量メータ１は、所定のビルなどの建物内に複数設置され、対応するユーティリティ（電気やガス、水道など）の使用量を積算計量するものである。また、計量メータ１の表示部には、その積算計量値が表示されている。そして、計量メータ１は、積算計量値が所定量増加するごとに、その積算計量値を示すパルス信号を中央監視装置２に送信する。
中央監視装置２は、各計量メータ１からパルス信号を受信することで各計量メータ１での積算計量値を取得し、管理するものである。なお、計量メータ１はパルス信号を不図示のコントローラに送信し、コントローラでパルス信号を積算計量値を示す信号に変換して中央監視装置２に送信するようにしてもよい。
【００１２】
点検スケジュール作成装置３は、各計量メータ１に表示されている積算計量値と中央監視装置２で管理（表示）されている対応する積算計量値との読み合わせを行い、値が一致しているかを確認する点検を行う際に、各計量メータ１で読み合わせが可能となるタイミングを支援する点検スケジュールを作成するものであり、ＰＣから構成されている。この点検スケジュール作成装置３は、図１に示すように、計量メータ情報記憶部３１、積算計量値記憶部３２、増加量算出部３３、点検条件入力部３４、点検見込時刻算出部３５および点検支援情報表示部３６から構成されている。
【００１３】
計量メータ情報記憶部３１は、各計量メータ１に関する情報（種別や設置された管理区域、用途、名称など）を、計量メータ１の識別情報と対応付けて記憶するものである。なお、計量メータ１の種別としては、電力メータやガスメータ、水道メータなどが挙げられる。
【００１４】
積算計量値記憶部３２は、点検を行う前に中央監視装置２とＬＡＮで接続することで、中央監視装置２で管理されている計量メータ１ごとの過去の積算計量値を示す信号を受信し、この計量メータ１の識別情報と対応付けて記憶するものである。なおこの際、積算計量値記憶部３２は、過去の積算計量値を示す信号を所定期間分（例えば１日や１週間）受信する。
【００１５】
増加量算出部３３は、積算計量値記憶部３２に記憶されている積算計量値に基づいて、計量メータ１ごとに、積算計量値の所定周期ごとの増加量を算出するものである。なおこの際、積算計量値記憶部３２に複数日分の積算計量値が記憶されている場合には、計量メータ１ごとに、各日における積算計量値の所定周期ごとの増加量を平均するようにしてもよい。また、点検日の曜日を考慮して、過去の対応する曜日における増加量のみを算出するようにしてもよい。
【００１６】
点検条件入力部３４は、作業者から点検を行う際の条件を受け付けるものである。ここで、点検条件としては、点検を行う計量メータ１の種別や、点検を行う管理区域（管理している建物内の所定フロアや建物全体など）、点検を開始する時刻などが挙げられる。
【００１７】
点検見込時刻算出部３５は、計量メータ情報記憶部３１に記憶されている計量メータ情報および増加量算出部３３により算出された増加量に基づいて、計量メータ１ごとに、所定の点検開始時刻および増加量の積算値が所定閾値以上となった時刻を増加量の積算開始点にして、増加量の積算値が所定閾値以上となる複数の時刻を点検見込時刻として算出するものである。なおこの際用いる閾値は、所定の種別の計量メータ１において、前回の点検から次回の点検までに必要な積算計量値の増加量以上とする。
また、点検見込時刻算出部３５は、点検条件入力部３４により計量メータ１の種別や点検を行う管理区域が受け付けられた場合には、この条件に合致する計量メータ１を検出して、この計量メータ１に対してのみ点検見込時刻を算出する。さらに、点検条件入力部３４により点検開始時刻が受け付けられた場合には、この時刻を点検開始時刻にして、点検見込時刻の算出を行う。
【００１８】
点検支援情報表示部３６は、計量メータ情報記憶部３１に記憶されている計量メータ情報に基づいて、点検見込時刻算出部３５により算出された計量メータ１ごとの各点検見込時刻を計量メータ名と対応付けた点検スケジュールを表示するものである。なおこの点検見込時刻は、１台の計量メータ１に対して所定回数分（例えば３回）表示すればよい。
【００１９】
次に、上記のように構成された点検スケジュール作成装置３の動作について説明する。
図２はこの発明の実施の形態１に係る点検スケジュール作成装置３の動作を示すフローチャートである。図３〜６では、３台の電力メータＡ〜Ｃに対して点検スケジュールを作成する場合を示している。ここで、電力メータＡは建物の１階（１Ｆ）に設置され、電力メータＢは２階（２Ｆ）に設置され、電力メータＣは３階（３Ｆ）に設置されているとする。なお、計量メータ情報記憶部３１では、予め、計量メータ情報として、各電力メータＡ〜Ｃに関する情報（種別や設置された管理区域、用途、名称など）を、電力メータＡ〜Ｃの識別情報と対応付けて記憶している。
【００２０】
点検スケジュール作成装置３の動作では、図２に示すように、まず、点検を行う前に点検スケジュール作成装置３を中央監視装置２とＬＡＮで接続して、積算計量値記憶部３２は、中央監視装置２で管理されている計量メータ１ごとの過去の積算計量値を示す信号を受信し、計量メータ１の識別情報と対応付けて記憶する（ステップＳＴ１）。図３では、点検日前のある１日（８：００〜８：００）における、１時間ごとの各電力メータＡ〜Ｃでの過去の積算計量値を受信した場合を示している。
【００２１】
次いで、増加量算出部３３は、積算計量値記憶部３２に記憶されている積算計量値に基づいて、計量メータ１ごとに、積算計量値の所定周期ごとの増加量を算出する（ステップＳＴ２）。図４では、図３の電力メータＡ〜Ｃでの積算計量値を用い、１時間ごとの積算計量値の増加量を算出した場合を示している。これにより、電力メータＡでは、一定の割合で積算計量値が増加していることが把握でき、電力メータＢ，Ｃでは、全く電力が使用されていない時間帯や多く使用されている時間帯が存在することが把握できる。
【００２２】
次いで、点検条件入力部３４は、作業者から点検を行う際の条件を受け付ける（ステップＳＴ３）。例えば、所定種別の計量メータ１のみを点検する場合や、所定フロア内の計量メータ１のみを点検する場合や、所定時刻から点検を開始する場合などの条件を指定する。また、これらの条件を組み合わせて指定してもよいし、条件を指定しなくてもよい。なお以下では条件を指定しなかった場合について示す。
【００２３】
次いで、点検見込時刻算出部３５は、計量メータ情報記憶部３１に記憶されている計量メータ情報、増加量算出部３３により算出された増加量に基づいて、計量メータ１ごとに、所定の点検開始時刻および増加量の積算値が所定閾値以上となった時刻を増加量の積算開始点にして、増加量の積算値が所定閾値以上となる複数の時刻を点検見込時刻として算出する（ステップＳＴ４）。例えば、図４において閾値を３ｋＷとし、点検開始時刻を８時とした場合、電力メータＡでは、まず、点検開始時刻（８時）を積算開始点として増加量の積算を行うと、１１時に閾値以上となるため、この１１時を１回目の点検見込時刻とする。次に、１１時を積算開始点として増加量の積算を行うと、１４時に閾値以上となるため、この１４時を２回目の点検見込時刻とする。一方、電力メータＢでは、点検開始時刻（８時）からしばらくの間は積算計量値に変化はなく、その後、１５時に増加量の積算値が閾値以上となるため、この１５時を１回目の点検見込時刻とする。このようにして、電力メータＡ〜Ｃごとに、積算計量値が所定量以上増加して読み合わせが可能となる時刻を予想することができる。なお、閾値は、前回の点検から次回の点検までに必要な積算計量値の増加量そのものとしてもよいが、これに所定量を加味して余裕を持たせた値を閾値とすることで、点検見込時刻の信頼性をより高めることができる。
【００２４】
次いで、点検支援情報表示部３６は、計量メータ情報記憶部３１に記憶されている計量メータ情報に基づいて、点検見込時刻算出部３５により算出された計量メータ１ごとの各点検見込時刻を計量メータ名と対応付けた点検スケジュールを表示する（ステップＳＴ５）。例えば、図５に示すように、電力メータＡ〜Ｃごとの各点検見込時刻を一覧で表示する。なお図５の一覧表は、図４に示す積算計量値の増加量の一覧表に基づくものである。また図５では、点検開始時刻を８時とし、各電力メータＡ〜Ｃの点検見込時刻の設定回数を３回としている。
【００２５】
また、点検支援情報表示部３６は、図６に示すような点検スケジュールを表示するようにしてもよい。図６では、１時間ごとに、点検見込時刻に該当する電力メータＡ〜Ｃを巡回順に示したものである。ここで、点検支援情報表示部３６は、各点検見込時刻に該当する各計量メータ１のうち、同じ管理区域に存在する計量メータ１や同じ種別の計量メータ１をまとめて表示する。すなわち、例えば、ある時刻で、１階に設置された電力メータＣと、３階に設置された電力メータＤ〜Ｇが点検見込時刻となっている場合に、３階にある電力メータＤ〜Ｇの点検をまとめて行うようにする。これにより、各フロアを何度も往復することなく点検を行うことができ、より点検効率を向上させることができる。
【００２６】
なお、点検支援情報表示部３６による点検スケジュールに示された点検見込時刻に点検を実施できなかった場合には、その後の点検見込時刻にずれが生じてしまう。例えば、図５において、電力メータＡは１１時に１回目の点検見込時刻となっているが、何らかの事情によって作業員が１１時には点検を行うことができず、１２時に点検を行った場合、以降の点検スケジュールが１時間ずつずれ込んでしまい、次の点検見込時刻（１４時、１７時）に点検を行うことはできない。そのため、このような場合には、点検条件入力部３４を介して現在時刻を点検開始時刻に指定して、再度、点検見込時刻の算出・表示処理を行う。すなわち、上記の例の場合、点検開始時刻を１２時に指定して、点検見込時刻の算出・表示処理を再度行い、新たな点検見込時刻（１５時、１８時）を取得する。
【００２７】
以上のように、この実施の形態１によれば、中央監視装置２から計量メータ１ごとの過去の積算計量値を収集して記憶し、この値に基づいて、計量メータ１ごとの各点検見込時刻の算出・表示を行うように構成したので、各計量メータ１に表示されている積算計量値と中央監視装置２で管理されている積算計量値との読み合わせを行うタイミングを予測することができ、点検効率を高めることができる。
【００２８】
なお実施の形態１では、点検スケジュール作成装置３を中央監視装置２から独立させて構成した場合について示したが、この点検スケジュール作成装置３を中央監視装置２内に組み込んで構成してもよい。
また、本願発明はその発明の範囲内において、実施の形態の任意の構成要素の変形、もしくは実施の形態の任意の構成要素の省略が可能である。
【符号の説明】
【００２９】
１  計量メータ
２  中央監視装置
３  点検スケジュール作成装置
３１  計量メータ情報記憶部
３２  積算計量値記憶部
３３  増加量算出部
３４  点検条件入力部
３５  点検見込時刻算出部
３６  点検支援情報表示部
【図１】
2012215391.tif 000003
【図２】
2012215391.tif 000004
【図３】
2012215391.tif 000005
【図４】
2012215391.tif 000006
【図５】
2012215391.tif 000007
【図６】
2012215391.tif 000008